(57)【要約】【課題】大切な衣類を押し洗いする時に洗い水が衣類の中をより早い速度で通過する事によって汚れを落ち易くする様にすること。【解決手段】多数の孔２を有する多孔板１と、この多孔板１から延びて来る脚板３とから成り、全体が押したら元に戻るバネ作用を有する洗濯補助具を使用して押し洗いする様にした。【選択図】図１
2014018646.tif 000002
【特許請求の範囲】
【請求項１】
多数の孔を有する多孔板と、この多孔板から延びて来る脚板とから成り、全体が押したら元に戻るバネ作用を有する洗濯補助具。
【請求項２】
大型の洗濯補助具と小型の洗濯補助具とから成る２枚組みの洗濯補助具であり、両者が連結具により連結する構造とした請求項１記載の洗濯補助具。
【発明の詳細な説明】
【技術分野】
【０００１】本発明は洗濯、特に押し洗いをする時に洗濯物の汚れが良く落ちる様にする洗濯補助具に関する。
【背景技術】
【０００２】一般に傷み易い大切な衣類は洗濯機を使わず手で優しく押し洗いするが、それだけに汚れが落ちにくい欠点がある。
【発明の開示】
【発明が解決しようとする課題】
【０００３】本発明の目的は、大切な衣類を押し洗いする時に洗い水が衣類をより早い速度で通過する事によって汚れを落ち易くする様にしたものである。
【課題を解決する為の手段】
【０００４】本発明は上記目的を達成する為、洗濯物を押し洗いするに当り、多数の孔を有する多孔板と、この多孔板から延びて来る脚板とから成り、全体が押したら元に戻るバネ作用を有する洗濯補助具を使用した。
【発明の効果】
【０００５】本発明はバネ作用を有する洗濯補助具の上に衣類を乗せて押し洗いする様にしたので、洗濯補助具の下の空間へ洗い水が出入りするに伴い衣類の中を洗い水が速い速度で通過するから、汚れが良く落ち、短期間で綺麗に洗濯する事ができる。又、図２の様に洗濯補助具に干し板を備えれば、図３の様にセーターの様な型崩れし易いものや枕などを干す事ができる。
【発明を実施する為の形態】
【０００６】図１は本発明による洗濯補助具を示し、先ず図１（イ）の如く多数の孔２を有する多孔板１とこの多孔板１から延びて来る脚板３とから成り、全体が押したら元に戻るバネ作用を有する様に構成されている。この洗濯補助具は例えば軟質のプラスチック製とし、上から押したら元に戻るバネ作用を有する、図１（イ）の洗濯補助板１は全体が円形のものであるが、この他、図１（ロ）の如く四角状のもの、図１（ニ）の如く細長い輪状のもの、更には図１（ロ）において４個の脚板３の内で相対する２個の脚板を除去したものに相当する図１（ハ）のものが考えられる。
次に使い方を説明すると、図３（イ）の如く容器８の中に洗剤と水とを入れて良く混合させ、一番下に洗濯補助具を入れ、その上に衣類９を適当な大きさに畳んで乗せる。そして両手で上から衣類９を静かに押すと、この洗濯補助具はバネ作用を有するから、多孔板１の下の空間の洗い水は多数の孔２を通って上方へ押し出され、衣類９の中を早い速度で通過する。両手を離すと前記バネ作用により多孔板１の下の空間に洗い水が多数の孔２を通って流れ込むから。この時、衣類９の中を洗い水が早い速度で通過し、かくして汚れが良く落ちる様になる。
図１（ハ）、（ニ）の洗濯補助具は多孔板１の下の空間は両脇に脚板３がないから、衣類９の中を通過する洗い水の速度は図１（イ）、（ロ）に比べて小さくなるが、バネ作用により衣類９は確実に上下に洗い水の中を動くから、汚れは良く落ちる（従来では衣類９を押すと、バネ作用により上方へ動く様な事はなく、沈んだままなので、汚れの落ちは悪い）。
図２（イ）に示す実施例は図１、例えば図１（イ）の洗濯補助具に折り畳み部５を介して干し板４を備え、洗濯補助具と干し板４とを矢印の如く折り畳み部５で折り畳んで重ねる構造としたものである。使い方は図３（イ）と同様であるが（折り畳んで使う）。これは図２（イ）の如く開くと大きくなるので、図３（ロ）の如くＳ字フックにより竿などに掛けてセーターなどの型崩れし易い衣類を平干しする事ができる（枕なども干せる）。この場合、図２（ロ）の如くフック６を備えておけば、このフック６を使う事により図３（ロ）においてＳ字フック７を使わずに、セーターなどの平干しを行なう事ができる（枕なども干せる）。尚、図２（ロ）におけるフック６は図１のものにも同様に備える事ができ、これによりセータなどの平干しを行なう事ができる（枕なども干せる）。
【０００７】蒲団をベランダなどの柵に掛けてフトン干しする場合、一般にはフトンバサミにより蒲団を挟んで落下を防止するが、この方法は蒲団が傷み易く、風が強く吹いている日などはフトン干しベルトにより蒲団を縛って固定した方が飛ばされる心配がなく、安心である。しかし一方では、蒲団をベランダなどの柵に掛けてフトン干しベルトを一周させて縛る作業が大変である。
即ち、フトン干しベルトの一端部を片手に持って柵の間から入れ、柵に掛けた蒲団を一周させるのであるが、この間、ベルトの一端部持って歩いたり、蒲団の上に置いたり、一方の手から他方の手へ手渡しするなど、蒲団の囲りで悪戦苦闘する上、途中でフトン干しベルトを落としてしまう失敗もある。しかも柵が高い時は作業は一段と大変である。
以上の欠点を解消するには図４に示すフック付きフトン干しベルトを使うのが良い。即ち、図４（イ）においてフトン干しベルト１０はベルト結合具１１を備えており、このベルト結合具１１はオス型１１ｂとメス型１１ａとから成り（本構造は公知なので詳細は省略する）、前者を後者に差し込むとフトン干しベルトは１つの輪となり、結合される。フトン干しベルト１０の所定部には柵部材１４（図５参照――蒲団を掛ける柵の部分）に巻き付けてベルト部に引っ掛けて輪を作るフック１２を備えてある。尚、このフック１２は図４（ロ）の如くベルト結合具１１（図ではメス型１１ａ）と一体的に形成しても良い。ベルト結合具としてはこの他、図４（ハ）の如く単純なＥ字形のベルト結合具も実用化されている（公知の構造なので、詳細は省略）。
次に使い方を説明する（図４（イ）のフトン干しベルトを参照して）。
先ず、図５（イ）の如くフトン干しベルト１０に備えられたフック１２を柵部材１４（柵の最上部に水平に走る部材）に巻き付けてフック１２をベルト部に引っ掛けて輪を作り（フック１２を柵部材１４の向こう側から手前側に通す）、次に図５（ロ）の如くフトン干しベルト１０の他端部を柵部材１４に掛けられた蒲団の周囲を裏側から表側まで回してベルト結合具１１によりフトン干しベルト１０を結合をさせる（オス型１１ｂを図５（イ）で垂れ下がっているメス型１１ａに差し込む）。そしてフック１２を外して図５（ハ）の如くフトン干しベルト１０の端部を矢印の方向に引いて、フトン干しベルト１０を締め付ければ完了である。
尚、図５（イ）から（ロ）へ移行する場合、メス型１１ａとフック１２との中間部を手に握ってフック１２を外し、メス型１１ａとオス型１１ｂとを結合させても良い。以上によりフトン干しベルトの一端部がフック１２により輪になって柵部材１４に巻き付いているので（固定されているので）、フトン干しベルトを蒲団に一周させて縛る作業が簡単でやり易くなる上、作業中にフトン干しベルトを落下させる失敗もなくなる。又、フトンバサミの様に蒲団の生地を傷める事もない。
【０００８】尚、本発明では洗濯する時の容器８は大きさが各種あるから、洗濯補助具１も少なくとも２組揃えておく事が望ましい。即ち、図２（ハ）の如く大型の洗濯補助具１Ａと小型の洗濯補助具１ａとから成る２組の洗濯補助具とし、この場合、両者が連結具１５（穴とこれに嵌り込んで連結を行なう突起棒とから成る）により連結する構造とすれば（両者を連結する場合は洗濯補助具１ａをひっくり返して洗濯補助具１Ａに連結する）、図３（ロ）と同様にセーターなどの平干しや枕などを干す事ができる。
【図面の簡単な説明】
【図１】本発明による洗濯補助具の図。
【図２】洗濯補助具の各種実施例を示す図。
【図３】洗濯補助具の使用状態を示す図。
【図４】フック付きフトン干しベルトの図。
【図５】フック付きフトン干しベルトの使用法を示す図。
【符号の説明】１は多孔板、２は孔、３は脚板、４は干し板、５は折り畳み部、６はフック、７はＳ字フック、８は容器、９は衣類、１０はフトン干しベルト、１１はベルト結合部、１１ａはメス型、１１ｂはオス型、１２はフック、１３はベルト結合具、１４は柵部材、１５は連結具、１Ａ・１ａは洗濯補助具である。
【図１】
2014018646.tif 000003
【図２】
2014018646.tif 000004
【図３】
2014018646.tif 000005
【図４】
2014018646.tif 000006
【図５】
2014018646.tif 000007